(57)【要約】【課題】組立性の向上が図られたコネクタを提供すること。【解決手段】コネクタは、複数のコンタクトと、コンタクトを保持するハウジングとを備えている。コンタクトは、Ｘ方向に延びるようにしてハウジングに保持される被保持部と、被保持部から延びる延出部とを備えている。この延出部は、ハウジングには保持されていない部位である。被保持部は、Ｙ方向に向かって被保持部から突出するようにして形成された圧入突部を備えている。延出部は、被保持部をハウジング内に圧入するために押圧される被押圧部を備えている。ここで、被押圧部は、Ｙ方向において被保持部よりも幅広となるように形成されている。これにより、コンタクトをハウジングに圧入保持させる工程において治具と被押圧部との面積を大きくとることができる。【選択図】図１
2010086902.tif 000002
【特許請求の範囲】
【請求項１】
複数のコンタクトと、該コンタクトを保持するハウジングとを備えるコネクタであって、
前記コンタクトは、第１方向に延びるようにして前記ハウジングに保持される被保持部と、該被保持部から延びる延出部であって前記ハウジングには保持されていない延出部とを備えており、
前記被保持部は、前記第１方向と直交する第２方向に向かって前記被保持部から突出するようにして形成された圧入突部を備えており、
前記延出部は、前記被保持部を前記ハウジング内に圧入するために押圧される被押圧部であって前記第２方向において前記被保持部よりも幅広な被押圧部を備えている
コネクタ。
【請求項２】
請求項１記載のコネクタであって、
前記被押圧部は、前記第１方向と前記第２方向とで規定される平面であって前記圧入突部が存する平面内に存している
コネクタ。
【請求項３】
請求項１又は請求項２記載のコネクタであって、
前記複数のコンタクトは、前記被押圧部が前記第１方向において第１位置に位置するようにして前記ハウジングに保持された第１コンタクトと、前記被押圧部が前記第１方向において前記第１位置とは異なる第２位置に位置するようにして前記ハウジングに保持された第２コンタクトを備えており、
前記第１コンタクトと前記第２コンタクトは、前記第２方向において隣接するようにして配置されており、
前記第２コンタクトの前記第１方向における前記第１位置には、前記第１コンタクトの前記被押圧部に対応するようにして前記第２方向に凹んだ凹部が形成されている
コネクタ。
【請求項４】
請求項１乃至請求項３のいずれかに記載のコネクタであって、
前記コンタクトは、前記被保持部及び前記延出部を有し前記第１方向に延びる第１部位と、前記第１方向及び前記第２方向の双方に直交する第３方向に向かって前記第１部位から延びる第２部位とを備えており、
前記被押圧部は、前記第１部位に形成されている
コネクタ。
【発明の詳細な説明】
【技術分野】
【０００１】
本発明は、ハウジングに圧入保持されたコンタクトを有するコネクタに関する。
【背景技術】
【０００２】
この種のコネクタとしては、特許文献１に開示されたものがある。特許文献１に開示されたコネクタは、ハウジングと、該ハウジングに圧入保持されたコンタクトを備えており、コンタクトには、当該コンタクトをハウジングに圧入する際に押圧される被押圧部が設けられている。
【０００３】
【特許文献１】特開２００７−１５７６４９号公報
【発明の開示】
【発明が解決しようとする課題】
【０００４】
本発明は、特許文献１のコネクタと比較して、組立性の向上が図られたコネクタを提供することを目的とする。
【課題を解決するための手段】
【０００５】
本発明によれば、第１のコネクタとして、複数のコンタクトと、該コンタクトを保持するハウジングとを備えるコネクタであって、
前記コンタクトは、第１方向に延びるようにして前記ハウジングに保持される被保持部と、該被保持部から延びる延出部であって前記ハウジングには保持されていない延出部とを備えており、
前記被保持部は、前記第１方向と直交する第２方向に向かって前記被保持部から突出するようにして形成された圧入突部を備えており、
前記延出部は、前記被保持部を前記ハウジング内に圧入するために押圧される被押圧部であって前記第２方向において前記被保持部よりも幅広な被押圧部を備えている
コネクタが得られる。
【０００６】
また、本発明によれば、第２のコネクタとして、第１のコネクタにおいて、
前記被押圧部は、前記第１方向と前記第２方向とで規定される平面であって前記圧入突部が存する平面内に存している
コネクタが得られる。
【０００７】
また、本発明によれば、第３のコネクタとして、第１又は第２のコネクタにおいて、
前記複数のコンタクトは、前記被押圧部が前記第１方向において第１位置に位置するようにして前記ハウジングに保持された第１コンタクトと、前記被押圧部が前記第１方向において前記第１位置とは異なる第２位置に位置するようにして前記ハウジングに保持された第２コンタクトを備えており、
前記第１コンタクトと前記第２コンタクトは、前記第２方向において隣接するようにして配置されており、
前記第２コンタクトの前記第１方向における前記第１位置には、前記第１コンタクトの前記被押圧部に対応するようにして前記第２方向に凹んだ凹部が形成されている
コネクタが得られる。
【０００８】
更に、本発明によれば、第４のコネクタとして、第１乃至第３のコネクタのいずれかにおいて、
前記コンタクトは、前記被保持部及び前記延出部を有し前記第１方向に延びる第１部位と、前記第１方向及び前記第２方向の双方に直交する第３方向に向かって前記第１部位から延びる第２部位とを備えており、
前記被押圧部は、前記第１部位に形成されている
コネクタが得られる。
【発明の効果】
【０００９】
本発明によれば、ハウジングに保持された被保持部よりも幅広な被押圧部を設けたことから、コンタクトをハウジングに圧入保持させる工程において治具と被押圧部との面積を大きくとることができることから、組立性の向上を図ることができる。
【発明を実施するための最良の形態】
【００１０】
図１に示されるように、本発明の実施の形態によるコネクタ１００は、ハウジング２００と、ハウジング２００に圧入保持された複数のコンタクト３００とを備えている。本実施の形態によるコネクタ１００は、ＤｉｓｐｌａｙＰｏｒｔ用のコネクタの小型タイプである。図示されたコネクタ１００は、ハウジング２００を覆う金属シェルを備えていないが、金属シェルを備えていてもよい。
【００１１】
図２及び図３に示されるように、各コンタクト３００は、Ｘ方向（第１方向）に延びる第１部位３１０と、Ｘ方向の後端からＺ方向（第３方向）下側に向かって延びる第２部位３２０とを備えている。なお、図２及び図３においては、理解を容易にすべく、図１に示されるコンタクトの列の一部のみが示されている。
【００１２】
第１部位３１０は、ハウジング２００に保持される被保持部３１１と、被保持部３１１からＸ方向において後方に延びる延出部３１３を備えている。
【００１３】
被保持部３１１には、Ｙ方向（第２方向）に向かって突出した圧入突部３１２が形成されている。
【００１４】
延出部３１３は、ハウジング２００に保持されておらず、ハウジング２００の背面から見た場合に視認できる状態となっている。この延出部３１３の後端には被押圧部３１４として機能する肩部が形成されている。
【００１５】
被押圧部３１４は、コンタクト３００の第１部位３１０（被保持部３１１）をハウジング２００に圧入する際に治具（図示せず）により押圧される部位であり、治具により押圧された際にコンタクト３００を変形させることなくハウジング２００に圧入し得るように構成されている。具体的には、被押圧部３１４は、図２及び図３から理解されるように、圧入突部３１２が存するＸＹ平面と同一のＸＹ平面内に存している。
【００１６】
図３に最も良く示されているように、本実施の形態による被押圧部３１４は、延出部３１３からＹ方向に向かって突出しており、Ｙ方向において被保持部３１１よりも幅広となるように構成されている。このように、被押圧部３１４を幅広となるように構成したことから、コネクタ１００の組立工程において治具（図示せず）を用いてコンタクト３００をハウジング２００内に圧入する際に治具と被押圧部３１４との接触面積を大きくすることができ、従って、組立性の向上が図られている。
【００１７】
更に、本実施の形態によるコンタクト３００は、被押圧部３１４の位置によって第１コンタクト３００ａと第２コンタクト３００ｂの２つに大別されている。詳しくは、図３から理解されるように、第１コンタクト３００ａと第２コンタクト３００ｂとはＹ方向において交互に並べられており、また、Ｘ方向において、第１コンタクト３００ａの被押圧部３１４の位置（第１位置）は第２コンタクト３００ｂの被押圧部３１４の位置（第２位置）よりも前方に位置している。
【００１８】
図３に最も良く示されているように、本実施の形態による第２コンタクト３００ｂには、Ｙ方向に凹んだ凹部３１５が設けられている。この凹部３１５は、隣接する第１コンタクト３００ａの被押圧部３１４とＹ方向において対向するように設けられている。即ち、凹部３１５は、Ｘ方向において、第１位置に位置している。上述したような幅広の被押圧部３１４を有するコンタクト３００の狭ピッチ化を図った場合に凹部３１５を設けないものとすると、第１コンタクト３００ａの被押圧部３１４と第２コンタクト３００ｂの間の距離（Ｙ方向距離）が短くなる。このように隣接するコンタクト３００間のＹ方向距離が短くなると、そこに生じた容量に起因して耐電圧が低下したり、隣接するコンタクト３００間におけるクロストークが発生したりするといった問題が生じる恐れがある。これに対して、本実施の形態のように、第２コンタクト３００ｂに凹部３１５を設けることとすると、隣接するコンタクト３００間において極端に短いＹ方向距離を有するような部位をなくすことができるため、上述したような耐電圧低下の問題やクロストーク発生の問題を避けることができる。加えて、本実施の形態によれば、隣接するコンタクト３００の延出部３１３間に絶縁体を配置することなく、かかる効果を得ることができるため、余分な絶縁体材料の増加を抑えることができる。
【００１９】
なお、圧入治具（図示せず）による押圧力を受ける被押圧部３１４の単位面積当たりの押圧力を従来に比べ小さくするために、本実施例では被押圧部３１４の幅を被保持部３１１の幅より広く形成している。
【００２０】
以上、本発明の実施の形態について具体的に説明してきたが、本発明はこれに限定されるものではない。例えば、コンタクト３００の本数等は適用するコネクタに応じて適宜変更可能である。
【００２１】
また、上述した実施の形態においては、図３に示されるように、第１部位３１０の後端に２本の平行なスリット３１６を入れ、そこにおいてコンタクトの材料をＺ方向に延びるように曲げることにより第２部位３２０を構成しているが、本発明はこれに制限されるものではない。例えば、図４に示されるように、スリットを設けることなく、被押圧部３１４から後方に延びる部位をＺ方向に延びるように曲げることにより第２部位３２０を構成することとしても良い。但し、図３に示されるようにスリット３１６を設けてから曲げ加工した場合の方が、Ｘ方向において省スペース化を図ることができる。
【図面の簡単な説明】
【００２２】
【図１】本発明の実施の形態によるコネクタの背面斜視図である。
【図２】図１のコネクタに含まれるコンタクト列を部分的に示す斜視図である。
【図３】図２のコンタクト列を示す上面図である。
【図４】コンタクトの変形例を示す斜視図である。
【符号の説明】
【００２３】
１００        コネクタ
２００        ハウジング
３００        コンタクト
３００ａ      第１コンタクト
３００ｂ      第２コンタクト
３１０        第１部位
３１１        被保持部
３１２        圧入突部
３１３        延出部
３１４        被押圧部
３１５        凹部
３１６        スリット
３２０        第２部位
【図１】
2010086902.tif 000003
【図２】
2010086902.tif 000004
【図３】
2010086902.tif 000005
【図４】
2010086902.tif 000006